(57)【要約】コーヒー・グラインダーに差し込むためのグラインダー容器（１０）は中央注入口（２６）を備える蓋（２０）を有する。この蓋（２０）は、周辺蓋縁（２１）でグラインダー容器（１０）の開口縁（１８）に載る。円周ウェブ（３０）は、周辺蓋縁（２１）とある距離をおいて、グラインダー容器（１０）の内部へ突出し、グラインダー容器（１０）の内壁（Ｘ）に対向する。グラインダー容器の高さに関する寸法公差を補うために、蓋（２０）は、硬質プラスチック材料で製造される、中央注入口（２６）を備えた変形しにくい中央蓋部分（２４）と、柔らかいゴム材料で製造される弾性的に変形可能な蓋縁部分（２２）とからなり、この蓋縁部分は中央蓋部分（２４）と接続され、円周ウェブ（３０）を有する。【選択図】図３
2013501543.tif 000002
【特許請求の範囲】
【請求項１】
コーヒー・グラインダーに差し込むためのグラインダー容器であって、中央注入口（２６）を有する蓋（２０）を備え、前記蓋は、周辺蓋縁（２１）によって前記グラインダー容器（１０）の開口縁（１８）に載っており、円周ウェブ（３０）が、前記周辺蓋縁（２１）からある距離をおいて、前記蓋から前記グラインダー容器（１０）の内部へ突出し、且つ、前記グラインダー容器（１０）の壁（１４）の内側に対向して配置されるグラインダー容器において、
前記蓋（２０）が、グラインダー容器の高さの寸法公差を補うために、硬質プラスチック材料から製造される変形しにくい（ｖｅｒｆｏｒｍｕｎｇｓｓｔｅｉｆｅｎ）中央蓋部（２４）と、前記中央蓋部（２４）に接続され、前記円周ウェブ（３０）を含む、柔らかいゴム材料からなる弾性的に変形可能な蓋縁部（２２）とを有することを特徴とするグラインダー容器。
【請求項２】
前記グラインダー容器（１０）の前記壁（１４）の内側の方に向かう円周の密閉へり（３８）が、前記円周ウェブ（３０）の自由端から突出することを特徴とする、請求項１に記載のグラインダー容器。
【請求項３】
前記蓋縁部分（２２）及び前記中央蓋部分（２４）が、グルーブ／タング接続（２３）を介して接続されることを特徴とする、請求項１又は２に記載のグラインダー容器。
【請求項４】
前記グルーブ／タング接続（２３）は、前記中央蓋部分（２４）が前記蓋縁部分（２２）の柔らかいゴム材料とともにインサート成形されることによって形成されることを特徴とする、請求項３に記載のグラインダー容器。
【請求項５】
前記グルーブ／タング接続（２３）が、接着接合されることを特徴とする、請求項３に記載のグラインダー容器。
【請求項６】
前記グラインダー容器（１０）がガラス、特にホウケイ酸ガラスからなることを特徴とする、請求項１〜５のいずれかに記載のグラインダー容器。
【発明の詳細な説明】
【技術分野】
【０００１】
本発明は、コーヒー・グラインダーに差し込むためのグラインダー容器に関し、グラインダー容器は、中央注入口を有する蓋を備え、前記蓋は周辺蓋縁でグラインダー容器の開口縁に載っており、前記周辺蓋縁からある距離をおいて、前記蓋から円周のウェブがグラインダー容器の内部へ突出し、グラインダー容器の壁の内側に対向して配置される。
【背景技術】
【０００２】
プラスチック材からなるグラインダー容器を備えた多くの従来のコーヒー・グラインダーでは、碾いたコーヒー（コーヒー粉末）を帯電させるが、これにより、しばしば、後の操作において、付着しているコーヒー粉末が意図せずに飛び散ってしまい（Ｖｅｒｓｃｈｌｅｐｐｕｎｇ）、その結果汚れてしまう。ガラス又は金属製のグラインダー容器を使用した場合、この影響を大幅に軽減することができる。
【０００３】
しかしながら、ガラス製のグラインダー容器は、高さに関して比較的大きな寸法公差を有し、そのため、グラインダー容器とコーヒー・グラインダーとの間の隙間を考えに入れなければならない。この隙間からコーヒー粉末が外に出て、容器の外へコーヒー粉末が飛び散ってしまい望ましくない。
【発明の概要】
【発明が解決しようとする課題】
【０００４】
本発明の目的は、導入部で述べた種類のグラインダー容器に適し、グラインダー容器の高さに関する比較的大きな寸法公差を補うことができ、一旦コーヒー・グラインダーに差し込まれると、蓋の注入口の領域において、コーヒー・グラインダーと蓋との間の密閉接続を確実にする蓋を提供することである。
【課題を解決するための手段】
【０００５】
本発明によると、これらの目的は、蓋が、グラインダー容器の高さの寸法公差を補うために、硬質プラスチックから製造される変形しにくい（ｖｅｒｆｏｒｍｕｎｇｓｓｔｅｉｆｅｎ）中央蓋部と、この中央蓋部に接続され、円周ウェブを含む、柔らかいゴム材料からなる弾性的に変形可能な蓋縁部とを有することによって達成される。
【０００６】
グラインダー容器は、通常、円形の開口縁を有する円筒形であるが、他の容器横断面も考えられる。
【０００７】
蓋とグラインダー容器との間の密閉性を良くするために、グラインダー容器の壁の内側の方に向かう円周の密閉へりが、円周ウェブの自由端から突出できる。
【０００８】
好ましい実施形態では、蓋縁部と中央蓋部は、グルーブ／タング接続を介して接続され、前記グルーブ／タング接続は、適宜、蓋縁部の柔らかいゴム材料とともに、中央蓋部のインサート成形によって形成される。グルーブ／タング接続を接着接合することもできる。
【０００９】
グラインダー容器は、好ましくはガラス、特にホウケイ酸ガラスからなる。
【図面の簡単な説明】
【００１０】
【図１】図１は、蓋を所定の位置に取り付けたグラインダー容器の、上方斜視図である。
【図２】図２は、図１のグラインダー容器の蓋の、上方斜視図である。
【図３】図３は、図１のグラインダー容器の縦断面図である。
【図４】図４は、コーヒー・グラインダーに差し込まれた図１のグラインダー容器の縦断面図である。
【図５】図５は、図３による無負荷状態での、蓋の第1の実施形態の拡大詳細図である。
【図６】図６は、図４による負荷状態での、図５の拡大詳細図である。
【図７】図７は、図３による無負荷状態での、蓋の第２の実施形態の拡大詳細図である。
【図８】図８は、図４による負荷状態での、図７の拡大詳細図である。
【発明を実施するための形態】
【００１１】
本発明の好ましい実施形態を、図を参照して以下に記載するが、これらは、説明のためだけのものであって、本発明を限定するものとして解釈されるべきではない。
【００１２】
図１から３に示すグラインダー容器１０は、底１２と、実質的に円筒形の容器壁１４とを有し、この容器壁は、底１２から上に突出し、容器壁１４の終端であり且つ容器開口部１６の境界を形成する開口縁１８を有する。
【００１３】
グラインダー容器１０上の所定の位置に取り付けられた蓋２０は、２つの部分からなり、開口縁２８によって境界付けられる中央の注入口２６を備えた中央蓋部分２４と蓋縁部分２２とを有し、蓋縁部分２２は、中央蓋部分２４に続き、場合により接着接合したグルーブ／タング接続２３を介して中央蓋部分に接続され、周辺蓋縁２１によって容器壁１４の開口縁１８上に載り、この容器壁を越えて横方向にわずかに突出する。周辺蓋縁２１からある距離をおいて、円周ウェブ３０が、蓋縁部分２２からほぼ垂直内側に突出し、容器開口部１６の領域において、グラインダー容器１０の円筒壁１４に対向して、これから少し離れて配置される。中央蓋部分２４は、変形抵抗性があり、硬質プラスチック材料からなる。円周ウェブ３０を備える蓋縁部分２２は、弾力のある柔らかいゴム材料からなる。
【００１４】
中央蓋部分２４は湾曲部を有し、この湾曲部は、蓋縁部分２２から中央蓋部分２４への移行領域に始まり、注入口２６の開口縁２８で終わる。無負荷状態では、注入口２６の開口縁２８は、容器開口部１６の開口縁１８を大きさａ１だけ越えて突き出る。
【００１５】
図４から分かるように、蓋２０を所定の位置に取り付けたグラインダー容器１０が、コーヒー・グラインダー（具体的には示さず）の収容部分３２に差し込まれると、中央注入口２６を備える中央蓋部分２４は、粉になったコーヒー用の出口開口部３４が設けられたプレート３６により、出口開口部３４と中央注入口２６が上下に位置するように覆われ、同時に、プレート３６が、グラインダー容器１０上に中央蓋部分２４を押し下げる。所定の許容限度内でのグラインダー容器１０の高さに応じて、大きさａ１−中央蓋部分２４の注入口２６の開口縁２８とグラインダー容器１０の開口縁１８との間の垂直距離−は、下側許容限度値を超えるグラインダー容器１０の高さに対応する、より小さい大きさａ２まで減少する。この場合、蓋部分２４に作用する力は、蓋縁部分２２に伝えられ、蓋縁部分２２は、常に、圧力ばめ（ｋｒａｆｔｓｃｈｌｕｅｓｓｉｇ）及び密閉してグラインダー容器１０の開口縁１８上に載る。周辺蓋縁２１がグラインダー容器１０の開口縁１８上に載るということは、蓋縁部分２２が、無負荷の水平な位置（図５）から、僅かに容器内部の方へ向かって傾斜した位置へと移り、その際、円周ウェブ３０の自由端が、グラインダー容器１０の円筒壁１４の内側の方へ動く（図６）ことを意味する。
【００１６】
図７及び８に示す蓋２０の変形の場合、密閉へり３８が、円周ウェブ３０の自由端からほぼ水平外側へ突出し、無負荷状態において（図７）、その自由端がグラインダー容器１０の壁１４の内側と接触する。これにより、さらに、蓋２０は、グラインダー容器１０上で、中心に置かれ、且つ場所が安定する。
【００１７】
コーヒー・グラインダーのプレート３６を備える収容部分３２と、蓋２０を所定の位置に置いたグラインダー容器１０は、互いに連携し、グラインダー容器１０をコーヒー・グラインダーに差し込んだ状態で、及びグラインダー容器１０が下側の許容限界値に対応する高さとなった状態で、蓋２０は、プレート３６が蓋２０上に密着して載るために正確に十分な力によって負荷される。
【００１８】
一旦、グラインダー容器１０がコーヒー・グラインダーに差し込まれてしまうと、蓋２０の負荷状態において、ウェブ３０の自由端が、グラインダー容器１０の円筒壁１４の内側の方へ動く。これは、密閉へり３８が変形し、ウェブ３０と容器壁１４によって形成される隙間Ｘに押し込まれ、これにより、蓋２０とグラインダー容器１０の間のさらに改善された密閉が生まれることを意味する。
【符号の説明】
【００１９】
１０          グラインダー容器
１２          底
１４          容器壁
１６          容器開口部
１８          １６の開口縁
２０          蓋
２１          周辺蓋縁
２２          蓋縁部分
２３          グルーブ／タング接続
２４          蓋部分
２６          注入口
２８          ２６の開口縁
３０          円周ウェブ
３２          収容部分
３４          ３４内の出口開口部
３６          プレート
３８          ３０の密閉へり
ａ１、ａ２    １８と２８の間の距離
【図１】
2013501543.tif 000003
【図２】
2013501543.tif 000004
【図３】
2013501543.tif 000005
【図４】
2013501543.tif 000006
【図５】
2013501543.tif 000007
【図６】
2013501543.tif 000008
【図７】
2013501543.tif 000009
【図８】
2013501543.tif 000010
【国際調査報告】
2013501543.tif 000011
2013501543.tif 000012
2013501543.tif 000013
2013501543.tif 000014